(57)【特許請求の範囲】
【請求項１】
内部に塵埃が吸引されるように塵埃吸引部が形成され、一側に外部に連通して空気流入溝が形成された底板と、前記底板の上部に設置され、塵埃が流入される吸引口が形成された踏み板と、からなる本体と、
前記底板の空気流入溝に設置され、外部の空気を流入させ、流入量を調節可能にする空気流入弁と、
前記底板の内部に設置され、前記吸引口を開閉させる弾性力を与える弾性部と、
前記底板の内部に設置され、流路が形成されるようにする複数個の隔壁と、
を備え、
前記隔壁は、前記流路がジグザグに形成されるように一定の間隔を置いて互い違いに設置されることを特徴とする空気流入弁を備えた塵埃吸引エアマット。
【請求項２】
内部に塵埃が吸引されるように塵埃吸引部が形成され、一側に外部に連通して空気流入溝が形成された底板と、前記底板の上部に設置され、塵埃が流入される吸引口が形成された踏み板と、からなる本体と、
前記底板の空気流入溝に設置され、外部の空気を流入させ、流入量を調節可能にする空気流入弁と、
前記底板の内部に設置され、前記吸引口を開閉させる弾性力を与える弾性部と、を備え、
前記空気流入溝は、塵埃を吸引させるための吸引機が連結される連結ホースと、最長距離である対角線方向に形成されることを特徴とする空気流入弁を備えた塵埃吸引エアマット。
【請求項３】
前記空気流入弁は、前記底板の空気流入溝の内外側に設けられる第１、２の弁胴体と、前記第１弁胴体と第２弁胴体との間に設置され、空気の流入量を調節する調節部材と、を有することを特徴とする請求項１または２に記載の空気流入弁を備えた塵埃吸引エアマット。
【請求項４】
前記第１弁胴体と第２弁胴体は、前記調節部材を介してボルト及びナットで固定されることを特徴とする請求項３に記載の空気流入弁を備えた塵埃吸引エアマット。
【請求項５】
前記調節部材は、中央部に、空気流入溝の内外側に回転され、外部の空気を流入させ、流入される空気の流入量を調節する調節板が設けられることを特徴とする請求項３に記載の空気流入弁を備えた塵埃吸引エアマット。
【発明の詳細な説明】
【技術分野】
【０００１】
本発明は、空気流入弁を備えた塵埃吸引エアマットに係り、より詳しくは、踏み板を踏み込むときの重量と位置に応じて、外部からのエア流入量を調節し、塵埃吸引率を高め、塵埃除去効率を最大化することのできる空気流入弁を備えた塵埃吸引エアマットに関する。
【背景技術】
【０００２】
従来、工場、病院、または食料品店のような施設では、施設内への出入り時、靴などに付着した塵埃を除去し、快適な生活環境をつくるようにしている。
【０００３】
また、塵埃により影響されるコンピュータ、電子製品などの各種機器の普及につれて、最近は、工場はもとより、一般の家屋、建物でも、塵埃を除去する必要性が高くなっている。
【０００４】
特に、最近は、黄砂の影響により、建物内の入居者の健康のために、室外から室内への出入り時、前もって、塵埃を除去すべき必要性がさらに台頭している。
【０００５】
上記の理由から、様々な塵埃吸引装置が提示されているところ、一例として、特許文献１では、上部に多数の吸引孔が形成されたハウジングと、前記ハウジングの内部に吸引力を伝達させ、前記吸引孔から塵埃のような異物が吸引されるように設置される吸引機と、前記ハウジングに形成された各吸引孔が開放または閉鎖可能に設置され、前記吸引機から伝達される吸引圧力を選択的に伝達させる弾性作動部材と、を備える靴の塵埃吸引装置において、前記ハウジングの下側に前記弾性作動部材のうち、隣接した複数の弾性作動部材を、単位結束手段を介して一束に結束させ、前記単位結束手段により結束された弾性作動部材のうち、いずれか一つの弾性作動部材が押圧されると、前記単位結束手段により結ばれた周辺の他の弾性作動部材も、同時に作動するように構成されたことを特徴とする靴の塵埃吸引装置を提示している。
【０００６】
しかしながら、上記した特許文献１の場合、出入者がハウジングの上部に露出したヘッドを踏み込んだら、弾性体の上下方向長さが縮小しながら、ヘッドの下降が行われ、吸引孔を開放させるものであって、吸引孔の開放は、ヘッドの外周縁と吸引孔の内周縁に形成される空間に開放されるものであるので、完全な開放が行われず、ハウジングへ靴の塵埃が吸引される量が制限的であるしかないという問題点があった。
【０００７】
また、上記した特許文献１の場合、靴から前記吸引孔を経て下降した塵埃を、吸引機から吸引するとき、一側の吸引機からの吸引力が、離隔した部分まで届きにくく、ハウジングの内部に作動部材が構成され、気流に干渉が発生するため、吸引機への塵埃吸引率が低下してしまうという問題点があった。
【先行技術文献】
【特許文献】
【０００８】
【特許文献１】大韓民国登録特許第１０−１１９８１４２号公報
【発明の概要】
【発明が解決しようとする課題】
【０００９】
本発明は、上記問題点に鑑みなされたものであり、塵埃が吸引される本体の一側端に外部の空気を流入させながら空気の流入量を調節する空気流入弁を設置し、塵埃が吸引される本体の内部に流路が形成されるように隔壁を設置することにより、塵埃吸引効率を最大化することができ、塵埃が残存せず、掃除する必要がなく、使用者にとって便宜性を高めることのできる空気流入弁を備えた塵埃吸引エアマットを提供することを目的とする。
【課題を解決するための手段】
【００１０】
上記目的を達成するための本発明の実施形態に係る空気流入弁を備えた塵埃吸引エアマットは、内部に塵埃が吸引されるように塵埃吸引部が形成され、一側端に外部に連通して空気流入溝が形成された底板と、前記底板の上部に設置され、塵埃が流入されるように吸引口が形成された踏み板と、からなる本体と、前記底板の空気流入溝に設置され、外部の空気を流入させ、流入量を調節可能にする空気流入弁と、前記底板の内部に設置され、踏み板を踏み込むことにより吸引口を開閉させる弾性部と、を備えてもよい。
【００１１】
前記底板の内部の底面に設置され、流路が形成されるようにする複数個の隔壁をさらに有してもよい。
【００１２】
前記隔壁は、塵埃排出の死角地帯をなくし、塵埃を均一に排出させるために、流路がジグザグに形成されるように一定の間隔を置いて互い違いに設置されてもよい。
【００１３】
前記空気流入溝は、塵埃を吸引させるための吸引機が連結される連結ホースと、最長距離である対角線上に形成されてもよい。
【００１４】
前記空気流入弁は、底板の空気流入溝の内外側に設けられる第１、２の弁胴体と、前記第１弁胴体と第２弁胴体との間に設置され、空気の流入量を調節可能にする調節部材と、を有してもよい。
【００１５】
前記第１弁胴体と第２弁胴体は、調節部材を介してボルト及びナットで固定されてもよい。
【００１６】
前記調節部材は、中央部に、空気流入溝の内外側に回転され、外部の空気を流入させ、流入される空気の流入量を調節する調節板が設けられてもよい。
【発明の効果】
【００１７】
このように、本発明に係る空気流入弁を備えた塵埃吸引エアマットによれば、塵埃や砂などの異物を吸引するための底板の一側端に、外部の空気を流入させる空気流入弁を設置し、底板にジグザグに流路が形成されるように間隔を設置することにより、踏み板の踏み込み量に応じて空気流入弁を調節して、塵埃吸引率を最大化することができるという効果がある。
【図面の簡単な説明】
【００１８】
【図１】図１は、本発明に係る空気流入弁を備えた塵埃吸引マットを示す分解斜視図である。
【図２】図２は、本発明に係る空気流入弁を備えた塵埃吸引マットを示す斜視図である。
【図３】図３は、本発明に係る空気流入弁を備えた塵埃吸引マットの空気流入弁を示す分解斜視図である。
【図４】図４は、本発明に係る空気流入弁を備えた塵埃吸引マットの空気流入弁を示す斜視図である。
【図５】図５は、本発明に係る空気流入弁を備えた塵埃吸引マットの空気流入弁の作動状態を示す切断面図である。
【発明を実施するための形態】
【００１９】
本発明は、様々な変更を加えてもよく、様々な実施形態を有してもよいところ、特定の実施形態を図面に例示し、詳細な説明において詳述しようとする。しかし、これは、本発明を特定の実施形態に限定するものではなく、本発明の思想及び技術範囲に含まれる全ての変更、均等物乃至代替物を含むものと理解されなければならない。
【００２０】
図面において、本発明の実施形態は、図示された特定の形態に制限されず、明確性を期するために誇張されたものである。本明細書において特定の用語が用いられたが、これは、本発明を説明するための目的で用いられたものであり、意味限定や特許請求の範囲に記載された本発明の権利範囲を制限するために用いられたものではない。
【００２１】
本明細書における「及び／または」という表現は、前後に羅列された構成要素のうち、少なくとも一つを含む意味として用いられる。また、「連結される／結合される」という表現は、他の構成要素と直接的に連結され、或いは他の構成要素を介して間接的に連結されるものを含む意味として用いられる。本明細書における単数形は文句で特別に言及しない限り、複数形も含む。また、明細書において用いられる「備えている」または「備える」と言及された構成要素、段階、動作及び素子は、１つ以上の他の構成要素、段階、動作及び素子の存在または追加を意味する。
【００２２】
以下、添付された図面を参照して、本発明の実施形態について詳述する。
【００２３】
図１は、本発明に係る空気流入弁を備えた塵埃吸引マットを示す分解斜視図であり、図２は、本発明に係る空気流入弁を備えた塵埃吸引マットを示す斜視図であり、図３は、本発明に係る空気流入弁を備えた塵埃吸引マットの空気流入弁を示す分解斜視図であり、図４は、本発明に係る空気流入弁を備えた塵埃吸引マットの空気流入弁を示す斜視図であり、図５は、本発明に係る空気流入弁を備えた塵埃吸引マットの空気流入弁の作動状態を示す切断面図である。
【００２４】
図１乃至図４に示すように、本発明に係る空気流入弁を備えた塵埃吸引マットは、本体１００、空気流入弁２００、弾性部３００、及び吸引機４００を備える。
【００２５】
図１に示すように、前記本体１００は、塵埃を吸引するための底板１１０と、前記底板１１０の上部に設置されるとともに、底板１１０を覆って出入者や車両が踏み込むような踏み板１２０と、を有する。
【００２６】
前記底板１１０は、出入口の床面に敷かれ、内部に塵埃や砂などの異物が吸引される塵埃吸引部１１１が形成される。
【００２７】
また、前記底板１１０の外周縁には、上部へ折り曲げられ、塵埃や砂などの異物が吸引される塵埃吸引部１１１の空間が形成され、踏み板１２０が定着するように仕上がり部１１２が設けられる。
【００２８】
前記仕上がり部１１２の一側端には、外部に連通して空気流入溝１１３が形成される。
【００２９】
前記空気流入溝１１３は、塵埃吸引の死角地帯をなくすように塵埃を吸引するための吸引機４００が連結される連結ホース４１０と、最長距離である対角線方向に形成されてもよい。
【００３０】
前記底板１１０の内部の底面には、塵埃吸引部１１１に流路が形成されるように、複数個の隔壁１３０が設置されてもよい。
【００３１】
前記隔壁１３０は、塵埃や砂などの異物の排出の死角地帯をなくすため、一定の間隔を置いて互い違いに設置されてもよい。
【００３２】
すなわち、前記底板１１０に隔壁１３０を互い違いに設置することにより、塵埃吸引部１１１に流路がジグザグに形成され、塵埃が死角地帯無しに、均一に排出されるようになる。
【００３３】
前記踏み板１２０は、底板１１０の上部に設置されるが、塵埃吸引部１１１の空間が形成されるように、踏み板１２０の下部が仕上がり部１１２の上端に架けられて設置される。
【００３４】
また、前記踏み板１２０には、出入者の靴や車両の車輪が踏み板を踏み込んだとき、靴や車両に付いた塵埃や砂などの異物が塵埃吸引部１１１に流入されるように吸引口１２１が形成される。
【００３５】
このとき、前記吸引口１２１は、踏み板１２０の全体面積において一定の間隔を置いて複数個で形成されることが好ましい。
【００３６】
すなわち、施設物の床面に敷かれる底板１１０の上部に踏み板１２０が設置されるが、底板１１０と踏み板１２０との間に空間が形成されながら、塵埃吸引部１１１が形成されるようにする仕上がり部１１２により、踏み板１２０が一定の高さで設置され、前記踏み板１２０に形成される吸引口１２１により、吸引口１２１から出入者の靴や車両の車輪に付いた塵埃や砂などの異物が吸引機４００の作動により塵埃吸引部１１１に吸引される。
【００３７】
前記空気流入弁２００は、底板１１０の空気流入溝１１３に設置され、外部の空気を塵埃吸引部１１１に流入させ、流入流を調節して吸引率を高めることができる。
【００３８】
図３乃至図５に示すように、前記空気流入弁２００は、底板１１０の空気流入溝１１３の内外側に設けられ、互いに連結される第１、２の弁胴体２１０、２１１と、前記第１弁胴体２１０と第２弁胴体２１１との間に設置され、外部の空気を流入させ、流入量を調節する調節部材２２０と、を有してもよい。
【００３９】
前記第１弁胴体２１０と第２弁胴体２１１は、調節部材２２０を介してボルト２３０及びナット２３１で固定されてもよい。
【００４０】
また、前記第１、２の弁胴体２１０、２１１にボルト２３０が締め付けられるとき、ボルト２３０の内側にワッシャ２３２が設置されてもよい。
【００４１】
前記調節部材２２０は、中央部に、空気流入溝１１３の内外側に回転され、外部の空気が流入されるとき、流入される空気の流入量を調節するための調節板２２１を有してもよい。
【００４２】
すなわち、前記踏み板１２０の踏み込み量により調節板２２１の回転角度を変え、流入される空気の量を調節することにより、塵埃吸引部１１１に吸入される塵埃や砂などの異物を円滑に排出させるようになる。
【００４３】
よって、前記踏み板１２０が多く踏み込まれると、空気流入弁２００が小さく開弁され、踏み板１２０が少し踏み込まれると、大きく開弁されるが、一例として、踏み板１２０が１００％踏み込まれると、塵埃や砂の吸引のための大きな吸引力が必要であるので、空気流入弁２００が１０％程度に小さく開弁され、踏み板１２０が５０％程度踏み込まれると、空気流入弁２００が５０％程度開弁されるようにすることである。或いは、これとは逆に、踏み板の踏み込み量が異なっても、空気の吸引と排出時、いつも一定の空気圧を維持するようにしてもよい。
【００４４】
また、前記踏み板１２０が踏み込まれないときは、周期的に空気流入弁２００を１００％開弁させ、底板１１０内の大きな塵埃や砂を排出させ、塵埃吸引エアマットの内部の完璧な掃除はもとより、空気流入弁２００により周辺空気まで吸収してフィルタリングすることができるようになる。
【００４５】
前記弾性部３００は、底板１１０の内部に設置され、踏み板１２０を踏み込み、または足を離すことにより、吸引口１２１を開閉させ、塵埃や砂が塵埃吸引部１１１に吸引されるようにする。
【００４６】
前記弾性部３００は、底板１１０の内部の底部に設置される弾性ばね３１０と、前記弾性ばね３１０の上部に設置され、弾性ばね３１０で弾持されながら吸引口１２１を開閉させる開閉具３２０と、を有する。
【００４７】
前記吸引機４００は、本体１００の側部に連結ホース４１０で連結され、出入者の靴が弾性部３００の開閉具３２０を押圧しながら、開閉具３２０が下降し、吸引口１２１を開放すると、吸引口１２１から塵埃吸引部１１１に靴に付いた塵埃や砂などの異物を吸引する。
【００４８】
また、前記吸引機４００は、制御器５００と電気的に連結され、制御器５００の制御信号により作動され、靴に付いた塵埃や砂などの異物が吸引口１２１から塵埃吸引部１１１に吸い込まれ、前記制御器５００は、出入者が踏み板１２０を踏み込むことにより生じる重量を感知するように、踏み板１２０に設置される感知センサ（図示せず）と電気的に連結され、感知センサの感知により信号を伝達され、吸引機４００の電源を断続するようになる。
【００４９】
このような構造からなる本発明の空気流入弁を備えた塵埃吸引エアマットによる作用状態をみると、次の通りである。
【００５０】
前記本体１００を施設物の出入口の床面に設置した状態で、出入者が通り過ぎながら踏み板１２０を踏み込むと、その荷重により、前記弾性部３００の開閉具３２０が下降しながら吸引口１２１が開放される。
【００５１】
また、前記吸引口１２１が開放されると、前記吸引機４００の作動により、靴に付いた塵埃や砂などの異物が吸引口１２１から塵埃吸引部１１１内に吸引される。
【００５２】
これとともに、前記塵埃吸引部１１１に塵埃や砂が流入すると、前記吸引機４００の作動により、塵埃吸引部１１１に吸引される塵埃や砂がフィルタや砂集塵機（図示せず）によりろ過されるようになる。
【００５３】
これとは逆に、前記踏み板１２０を踏み込んでいる靴が踏み板１２０から離されると、前記弾性ばね３１０の弾性力により、開閉具３２０が上昇しながら、前記吸引口１２１を再び閉鎖するようになる。
【００５４】
前記踏み板１２０を出入者が靴で踏み込んだとき、踏み板１２０の踏み込み量や踏み込み位置に応じて空気流入弁２００の開度を調節し、塵埃吸引部１１１に吸引される塵埃や砂などの異物の吸引力を最大化し、吸引効率を向上させるようになる。
【００５５】
付随的に、前記空気流入弁２００から外部の空気を吸引することができ、塵埃吸引エアマットの周辺空気まで吸収してフィルタリングすることにより、空気清浄効率も改善するようになる。
【００５６】
また、前記底板１１０の内部の底面に塵埃吸引部１１１の流路がジグザグに形成されるように隔壁１３０を設置することにより、塵埃吸引部１１１に吸引される塵埃や砂などの異物の吸引位置を問わず、排出の死角地帯をなくし、塵埃吸引部１１１を完璧に掃除することができる。
【００５７】
以上のように本発明について説明したが、本発明が属する技術分野における通常の知識を有する者であれば、本発明の技術的思想と必須的特徴を維持したまま、他の形態でも実施され得ることを認知することができるであろう。
【００５８】
本発明の範囲は、特許請求の範囲により規定されるが、特許請求の範囲の記載事項から直接的に導き出される構成はもとより、それと等価の構成から導き出される全ての変更または変形された形態も本発明の権利範囲に含まれるものと解釈されなければならない。
【符号の説明】
【００５９】
１００  本体
１１０  底板
１１１  塵埃吸引部
１１２  仕上がり部
１１３  空気流入溝
１２０  踏み板
１２１  吸引口
１３０  隔壁
２００  空気流入弁
２１０  第１弁胴体
２１１  第２弁胴体
２２０  調節部材
２２１  調節板
２３０  ボルト
２３１  ナット
２３２  ワッシャ
３００  弾性部
３１０  弾性ばね
３２０  開閉具
４００  吸引機
４１０  連結ホース
５００  制御器
【図１】
0006854393.tif 000002
【図２】
0006854393.tif 000003
【図３】
0006854393.tif 000004
【図４】
0006854393.tif 000005
【図５】
0006854393.tif 000006